(57)【要約】　　　（修正有）【課題】　アイスクリームの魅力を従来に比して向上できるアイスクリームパックを提供する。【解決手段】　アイスクリーム菓子の塊１を収容する管状体２と、それに受け入れられているスナッグフィットプランジャ３と、を備え、プランジャ３の操作ロッド４が、ハウジングを確定するために、相当な容積を有した中空であり、ハウジングは、消費者に、アイスクリーム菓子の塊１だけでなく、贈答物又は他の補完物も、提供可能とするものであり、贈答物又は他の補完物は、ハウジング内に配置されており、食用の適否を問わないものであることを特徴としている。【選択図】図１
0003100126.tif 000002
【実用新案登録請求の範囲】
【請求項１】
　アイスクリーム菓子の塊（１）を収容するのに適した管状体（２）で構成されたタイプのアイスクリームパックであって、
　管状体（２）は、両端が開口しており、ベース（１１）と操作ロッド（４）とからなるスナッグフィットプランジャ（３）を受け入れており、
　操作ロッド（４）は、最初は完全に、管状体（２）の外側に位置しており、
　管状体（２）は、プランジャ（３）が管状体（２）の開口の１つを越えて位置する端部位置において、プランジャ（３）に対向する開口から消費するためにアクセス可能なアイスクリーム菓子の塊（１）、を収容するためのチャンバー、を構成しており、消費前は蓋（１２）で密封されている、アイスクリームパックにおいて、
　操作ロッド（４）が、ハウジングを確定するために、相当な容積を有した中空であり、
　ハウジングは、消費者に、アイスクリーム菓子の塊（１）だけでなく、贈答物（６）又は他の補完物も、提供可能とするものであり、
　贈答物（６）又は他の補完物は、ハウジング内に配置されており、食用の適否を問わないものであることを特徴とするアイスクリームパック。
【請求項２】
　プランジャ（３）が、異なる幾何学的形状又は異なる形状の輪郭で具体化されている、請求項１記載のアイスクリームパック。
【請求項３】
　食用又は非食用の充填物アイテム（５）を備えた操作ロッド（４）をパッキング可能である、請求項１記載のアイスクリームパック。
【請求項４】
　充填物アイテム（５）が任意の形状、色、又は任意の他の特徴を提供している、請求項３記載のアイスクリームパック。
【請求項５】
　充填物アイテム（５）が、好ましくは錠剤タイプのチョコレート充填飴、砂糖漬け果物菓子、他の果物ガム、粉末のシャーベット、液体アイスクリームバータイプの飴などである、請求項３記載のアイスクリームパック。
【請求項６】
　上記パックが、贈答物（６）に属する細長いエレメントをその内部に収容することができ、該エレメントは、糸状エレメント（８）とプランジャ（３）のベース（１１）上に載った飴（７）とからなっており、該エレメントの目的のため及び本考案の他の特徴に従って、プランジャ（３）のベース（１１）が、切頭円錐構造（９）にくぼんだ正面を呈している、請求項１記載のアイスクリームパック。
【請求項７】
　糸状エレメント（８）が、アイスキャンディの棒である、請求項６記載のアイスクリームパック。
【請求項８】
　プランジャ（３）のベース（１１）を経てアクセス可能な中空操作ロッド（４）が、アイスクリーム菓子の塊（１）を配置するための管状体（２）の領域と、プランジャ（３）の中空内部と、の間の直接的な連絡を防止するために、適合した分離エレメント（１０）を備えている、請求項１記載のアイスクリームパック。
【請求項９】
　分離エレメント（１０）が、内部にアクセスするために容易に引き剥がすことができる、熱接合可能なストリップなどである、請求項８記載のアイスクリームパック。
【請求項１０】
　分離エレメント（１０）が、回収可能なセットのスペーサディスクである、請求項８記載のアイスクリームパック。
【請求項１１】
　分離エレメント（１０）が、例えばチョコレート、チューインガム等のような消費可能な食物アイテムである、請求項８記載のアイスクリームパック。
【請求項１２】
　管状体（２）が、円筒形状と楕円の構造又は形状との両方を呈することができる、請求項１記載のアイスクリームパック。
【請求項１３】
　管状体（２）が、広告又は類似したメッセージを包含するように使用できる、請求項１記載のアイスクリームパック。
【請求項１４】
　プランジャ（３）の中空内部が、プランジャ（３）を管状体（２）から外す必要無しに、外側端部からアクセス可能である、請求項１記載のアイスクリームパック。
【請求項１５】
　操作ロッド（４）を形成するのに使用される材料が、透明又は不透明である、請求項１記載のアイスクリームパック。
【請求項１６】
　プランジャ（３）とベース（１１）とプランジャ（３）の操作ロッド（４）とが、互いに外れることができる、請求項１記載のアイスクリームパック。
【請求項１７】
　蓋（１２）を管状体（２）の内部又は外部の所定位置に設置するために、蓋（１２）が別の構造を有している、請求項１記載のアイスクリームパック。
【請求項１８】
　アイスクリーム菓子の塊を収容するアイスクリームパックにおいて、
　アイスクリーム菓子の塊を受け入れる管状体と、管状体に摺動可能に嵌合しているプランジャと、からなっており、
　プランジャが、アイスクリーム菓子とは異なる食用又は非食用の物を収容できる内部空間を有していることを特徴とするアイスクリームパック。
【考案の詳細な説明】
【技術分野】
【０００１】
　本考案は、管状形態内に提供されるタイプのアイスクリーム菓子を販売するためのパックに関するものである。管状形態は、ベースとロッドとを備えた摺動プランジャを内部に収容している。ロッドは、中空であり、アイスクリームの魅力を全体として向上させる贈答アイテムとしての、一つ以上の食用又は非食用の物を包含できる。
【背景技術】
【０００２】
　我々は、あるタイプの食用アイスクリームの売買と消費に使用されるパックを既によく知っている。それにおいて、パックは、端部が開口した中空円筒体からなっており、紙や厚紙などで作ることができる。円筒体においては、アイスクリーム物を収容する容器のために、摺動底部を形成するプランジャが動く。円筒体は、好ましくは紙でできた蓋で補完されている。蓋は、プランジャの反対側の端部を塞いでいる。蓋は、円筒体を気密しており、アイスクリームを食べ始めるときに取り除かれる。プランジャは、アイスクリームの消費を促進するために、アイスクリームの円筒状ブロックを次第に外側に押し出すことができるラムとして機能する。それらの目的のため、このプランジャは、実質的に外部に突出するプッシュロッドを備えている。
【０００３】
　このようにアイスクリームの塊は、最初は円筒体の内部に配置されて、完全に保護されており、ロッドは、アイスクリームの塊を順番に徐々に外側に押し出すように、プランジャのベースを移動させる。
【特許文献１】特開２００３−１７０９６４公報
【考案の開示】
【考案が解決しようとする課題】
【０００４】
　アイスクリームの魅力を従来に比して向上できるアイスクリームパック、を提供することである。
【課題を解決するための手段】
【０００５】
　請求項１記載の考案は、アイスクリーム菓子の塊１を収容するのに適した管状体２で構成されたタイプのアイスクリームパックであって、管状体２は、両端が開口しており、ベース１１と操作ロッド４とからなるスナッグフィットプランジャ３を受け入れており、操作ロッド４は、最初は完全に、管状体２の外側に位置しており、管状体２は、プランジャ３が管状体２の開口の１つを越えて位置する端部位置において、プランジャ３に対向する開口から消費するためにアクセス可能なアイスクリーム菓子の塊１、を収容するためのチャンバー、を構成しており、消費前は蓋１２で密封されている、アイスクリームパックにおいて、操作ロッド４が、ハウジングを確定するために、相当な容積を有した中空であり、ハウジングは、消費者に、アイスクリーム菓子の塊１だけでなく、贈答物６又は他の補完物も、提供可能とするものであり、贈答物６又は他の補完物は、ハウジング内に配置されており、食用の適否を問わないものであることを特徴とするアイスクリームパックである。
【０００６】
　請求項２記載の考案は、請求項１記載の考案において、プランジャ３が、異なる幾何学的形状又は異なる形状の輪郭で具体化されているものである。
【０００７】
　請求項３記載の考案は、請求項１記載の考案において、食用又は非食用の充填物アイテム５を備えた操作ロッド４をパッキング可能であるものである。
【０００８】
　請求項４記載の考案は、請求項３記載の考案において、充填物アイテム５が任意の形状、色、又は任意の他の特徴を提供しているものである。
【０００９】
　請求項５記載の考案は、請求項３記載の考案において、充填物アイテム５が、好ましくは錠剤タイプのチョコレート充填飴、砂糖漬け果物菓子、他の果物ガム、粉末のシャーベット、液体アイスクリームバータイプの飴などであるものである。
【００１０】
　請求項６記載の考案は、請求項１記載の考案において、上記パックが、贈答物６に属する細長いエレメントをその内部に収容することができ、該エレメントは、糸状エレメント８とプランジャ３のベース１１上に載った飴７とからなっており、該エレメントの目的のため及び本考案の他の特徴に従って、プランジャ３のベース１１が、切頭円錐構造９にくぼんだ正面を呈しているものである。
【００１１】
　請求項７記載の考案は、請求項６記載の考案において、糸状エレメント８が、アイスキャンディの棒であるものである。
【００１２】
　請求項８記載の考案は、請求項１記載の考案において、プランジャ３のベース１１を経てアクセス可能な中空操作ロッド４が、アイスクリーム菓子の塊１を配置するための管状体２の領域と、プランジャ３の中空内部と、の間の直接な連絡を防止するために、適合した分離エレメント１０を備えているものである。
【００１３】
　請求項９記載の考案は、請求項８記載の考案において、分離エレメント１０が、内部にアクセスするために容易に引き剥がすことができる、熱接合可能なストリップなどであるものである。
【００１４】
　請求項１０記載の考案は、請求項８記載の考案において、分離エレメント１０が、回収可能なセットのスペーサディスクであるものである。
【００１５】
　請求項１１記載の考案は、請求項８記載の考案において、分離エレメント１０が、例えばチョコレート、チューインガム等のような消費可能な食物アイテムであるものである。
【００１６】
　請求項１２記載の考案は、請求項１記載の考案において、管状体２が、円筒形状と楕円の構造又は形状との両方を呈することができるものである。
【００１７】
　請求項１３記載の考案は、請求項１記載の考案において、管状体２が、広告又は類似したメッセージを包含するように使用できるものである。
【００１８】
　請求項１４記載の考案は、請求項１記載の考案において、プランジャ３の中空内部が、プランジャ３を管状体２から外す必要無しに、外側端部からアクセス可能であるものである。
【００１９】
　請求項１５記載の考案は、請求項１記載の考案において、操作ロッド４を形成するのに使用される材料が、透明又は不透明であるものである。
【００２０】
　請求項１６記載の考案は、請求項１記載の考案において、プランジャ３とベース１１とプランジャ３の操作ロッド４とが、互いに外れることができるものである。
【００２１】
　請求項１７記載の考案は、請求項１記載の考案において、蓋１２を管状体２の内部又は外部の所定位置に設置するために、蓋１２が別の構造を有しているものである。
【００２２】
　請求項１８記載の考案は、アイスクリーム菓子の塊を収容するアイスクリームパックにおいて、アイスクリーム菓子の塊を受け入れる管状体と、管状体に摺動可能に嵌合しているプランジャと、からなっており、プランジャが、アイスクリーム菓子とは異なる食用又は非食用の物を収容できる内部空間を有していることを特徴とするアイスクリームパックである。
【考案の効果】
【００２３】
　本考案によれば、アイスクリームを食べ終えると、操作ロッドに収容されている贈答物又は他の補完物を得ることができるので、従来のアイスクリームに比して、魅力を向上できる。
【考案を実施するための最良の形態】
【００２４】
　本考案のアイスクリームパックの特徴は、次の事実を中心としている。即ち、プランジャ操作ロッドが、ハウジングを形成するために、中空であり、相当な容積を有している。ハウジングは、消費者に、アイスクリーム物だけでなく、贈答又は他の補完物も、提供可能とするものである。アイスクリーム物は、パックの本体内に収容されており、プランジャの動作によって外側へ摺動する。贈答又は他の補完物は、ハウジングに収容されており、食用物であるか否かを問わず、プランジャを任意に補完できる。
【００２５】
　このようにプランジャは、様々の幾何学的な形状又は様々な形状の輪郭として具体化することができるが、プランジャロッドは、また、ラム構成要素の他に、その中身又は装飾ラインのいずれかを有する構造を備えた単なるコンテナ機能を有してもよい。
【００２６】
　このコンテナ機能において、ロッドは、食用の又は非食用の充填物アイテム、又は、パックの管状体の直径よりも小さい物を、これらの充填物アイテムが、任意の形状、色、又は任意の他の特徴のものであるように、パックすることができる。充填物アイテムは、好ましくは、錠剤タイプのチョコレート充填飴、砂糖漬け果物菓子、他の果物ガム、粉末シャーベット、液体アイスクリームバータイプ飴などである。
【００２７】
　このようにロッドは、例えばアイスキャンディタイプ飴の棒のような糸状エレメントのステムを収容することができる。そのキャンディ物は実際のプランジャに載る。その目的のため及び本考案の他の特徴に従って、プランジャのベースは、切頭円錐形状のくぼみ面を有する。
【００２８】
　明らかに、この構造は、パックの管状体より小さくて可変長のステム又はハンドル内に延びた、他の物、を収容できること、を意味している。なお、この補完的な宣伝物及び／又は贈答物は、アイスクリームパック中に隠し続けることができ、アイスクリームが食べられた後に、現れてアクセス可能となる。
【００２９】
　任意に、プランジャの正面からアクセス可能な上記中空ロッドには、回収可能なディスク型物や、例えばチョコレートやチューイングガムなどのような食用食物アイテム、と同様な、分離ストリップが取り付けられている。分離ストリップは、プランジャの正面に適合し、好ましくは、熱接合可能で、内部にアクセスするために引き剥がすのが容易なものである。これらは、アイスクリームを配置するためのパックの本体の領域と、プランジャの中空内部と、の間の直接的な連絡を防止するためのものである。
【００３０】
　推奨されるアイスクリームパックは、端部が開口した中空体からなっている。中空体は、例えば紙、厚紙などで作ることができ、円筒形状と楕円形状の両方を呈する。楕円の形状又は輪郭を有する場合には、パックは、２つの主面をもたらす。２つの主面は、一方が前面、他方が後面であるとみなされ、必要とされる広告メッセージを保持できる。これは、パックを裏返す必要無しに、それらを見て読むことができることを、意味する。更に、楕円形状は、また、２つのより小さい又は二次的な面をもたらし、該面は、付加情報を備えることができる。
【００３１】
　しかしながら、プランジャの中空内部は、パックの本体からプランジャを取り外す必要無しに、プランジャの一部を解放して贈答アイテムへのアクセスを得るために、外側端部からアクセス可能にできる。
【００３２】
　このアクセス可能な中空ロッドを形成するのに使用される材料は、消費者が直接的に又は非直接的に中身を見ることを欲するか否かに応じて、透明でも透明でなくてもよい。
【００３３】
　このように、アイスクリームは、この新規な物を従来のアイスクリームに比してより魅力的なものにする、という一連の特徴を備えて、得られる。
【００３４】
　詳細な説明を補足するために、また、本考案の特徴のより明瞭な理解を促進するために、詳細な説明は、好ましい実施例に従って、一連の図を伴っており、それらの図は、代表的なものであり、図示及び非限定的な目的のものである。
【００３５】
　図１は充填物アイテムがパックされたロッドを備えたアイスクリームパックの断面図である。図２はアイスクリームパックの断面図であり、プランジャロッドがステム又はアイスキャンディタイプの糸状エレメントを収容しており、そのキャンディはプランジャに載っており、プランジャはスペーサエレメントによってアイスクリーム菓子の塊から分離されている。図３はアイスクリームパックの断面図であり、プランジャロッドがステム又はアイスキャンディタイプの糸状エレメントを収容しており、そのキャンディは、プランジャに載っており、アイスクリーム菓子の塊に直接接触している。図４はベースとプランジャロッドを離すことができるアイスクリームパックの断面図である。図５はアイスクリームパックを密封するための２つのタイプの蓋の断面図である。
【００３６】
　図に示すように、本考案のアイスクリームパックは、アイスクリーム菓子の塊１を受け入れるのに適した管状体２の機能的な組み合わせでできている。管状体２は、両端部が開口しており、スナッグフィットプランジャ３を受け入れている。プランジャ３は、ベース１１とステムとからなっており、ステムは、操作ロッド４内に延びている。操作ロッド４は、最初は完全に管状体２の外側に位置している。管状体２は、プランジャ３が管状体２の開口の一つを超えて位置している端部位置において、プランジャ３の反対側の開口から消費するためにアクセス可能なアイスクリーム菓子の塊１、を包含するチャンバー、を構成しており、消費前に蓋１２で密封されている。
【００３７】
　この基本構造により、アイスクリームパックの特徴は、次の事実を中心としている。即ち、上記操作ロッド４が、ハウジングを構成するために中空であり且つ相当の容積を有している。ハウジングは、消費者に、アイスクリーム菓子の塊１のみならず、贈答品６又は他の補完物も、提供することを可能とする。贈答品６又は他の補完物は、ハウジング内に配置されており、食用であるか否かを問わない。
【００３８】
　このように、ベース１１と操作ロッド４とプランジャ３とで形成されたアッセンブリは、異なる幾何学的形状若しくは異なる形状の輪郭外形に、具体化することができる。
【００３９】
　操作ロッド４のこのコンテナ機能により、操作ロッド４に、食べられる又は食べられない充填物アイテム５及び操作ロッド４の直径よりも小さい物を、これらの充填物アイテム５が任意の形状、色、又は任意の他の特徴を提供するように、パックすることができる。これらの充填物アイテム５は、錠剤タイプのチョコレート充填飴、砂糖漬け果物菓子、他の果物ガム、粉末シャーベット、液体アイスクリーム棒タイプ飴、などであるのが好ましい。
【００４０】
　このように、操作ロッド４は、糸状エレメント又はステムを内部に収容できる。糸状エレメント又はステムは、例えばアイスキャンディの棒などのようなものであり、キャンディ物は実際のプランジャ３上に載っている。それらの目的及び本考案の特徴に従って、プランジャ３のベース１１は、切頭円錐構造９のくぼみ面を提供している。
【００４１】
　明らかに、このレイアウトは、操作ロッド４が別のタイプの贈答物や補完物６を収容できることを、意味している。その贈答物や補完物６は、アイスクリームパック内に隠され続け、アイスクリーム菓子１の塊が完全に消費されたときに、突出してアクセス可能となる。
【００４２】
　任意に、プランジャ３のベース１１の正面からアクセス可能な、上記中空の操作ロッド４は、適合した分離エレメント１０を備えている。分離エレメント１０は、内部にアクセスするために容易に引き剥がすことができる熱接合可能なストリップなどが好ましく、又は、回収可能なディスク型アイテムや、例えばチョコレートやチューインガムなどのような消費可能な食物アイテムである。分離エレメント１０は、アイスクリーム菓子の塊１を配置するための管状体２の領域と、プランジャ３の中空内部と、の間の直接的な連絡を防止するためのものである。
【００４３】
　管状体２は、円筒形状と楕円形状の両方を呈することができる。楕円の形状又は輪郭を有する場合には、パックは、２つの主面をもたらす。２つの主面は、一方が前面、他方が後面とみなされ、必要とされる広告メッセージを保持できる。これは、その広告メッセージを、パックを裏返す必要無しに、見て読むことができることを、意味している。更に、楕円形状は、また、２つのより小さい又は二次的な面をもたらし、該面は、付加情報を備えることができる。
【００４４】
　しかしながら、プランジャの中空内部は、管状体２からプランジャ３を取り外す必要無しに、消費者がプランジャ３の一部を解放して贈答アイテム６へのアクセスを得るために、外端部からアクセス可能にできる。
【００４５】
　このアクセス可能な中空操作ロッド４を形成するのに使用される材料は、消費者が直接的に又は非直接的に中身を見ることを欲するか否かに応じて、透明でも透明でなくてもよい。
【００４６】
　蓋１２は、異なる方法で管状体２に取り付けることができ、その結果、管状体２の内側又は外側の所定位置にセットされる。
【図面の簡単な説明】
【００４７】
【図１】充填物アイテムがパックされたロッドを備えたアイスクリームパックの断面図である。
【図２】アイスクリームパックの断面図であり、プランジャロッドがステム又はアイスキャンディタイプの糸状エレメントを収容しており、そのキャンディはプランジャに載っており、プランジャはスペーサエレメントによってアイスクリーム菓子の塊から分離されている。
【図３】アイスクリームパックの断面図であり、プランジャロッドがステム又はアイスキャンディタイプの糸状エレメントを収容しており、そのキャンディは、プランジャに載っており、アイスクリーム菓子の塊に直接接触している。
【図４】ベースとプランジャロッドを離すことができるアイスクリームパックの断面図である。
【図５】アイスクリームパックを密封するための２つのタイプの蓋の断面図である。
【符号の説明】
【００４８】
　１　アイスクリーム菓子の塊
　２　管状体
　３　スナッグフィットプランジャ
　４　操作ロッド
　５　充填物アイテム
　６　贈答物
　７　飴
　８　糸状エレメント
　９　切頭円錐構造
１０　分離エレメント
１１　ベース
１２　蓋
【図１】
0003100126.tif 000003
【図２】
0003100126.tif 000004
【図３】
0003100126.tif 000005
【図４】
0003100126.tif 000006
【図５】
0003100126.tif 000007